【手続補正書】
【提出日】平成17年5月19日(2005.5.19)
【手続補正１】
【補正対象書類名】明細書
【補正対象項目名】全文
【補正方法】変更
【補正の内容】
【書類名】      明細書
【発明の名称】  スロットマシン
【特許請求の範囲】
【請求項１】  中空の本体箱と、
この本体箱の一側にヒンジ装置を介して開閉可能に取り付けられる前扉とを備え、
前記本体箱と前記前扉との間には、
前記前扉に設けられた表示窓に臨むリール装置と、
このリール装置のゲーム結果にもとづいて遊技者にメダルを排出するメダル排出装置と、
前記リール装置及びメダル排出装置を制御する主基板と、
前記リール装置、メダル排出装置及び主基板に電源を供給する電源装置と、
外部出力端子を有する集中端子板とを配置しているスロットマシンにおいて、
上記ヒンジ装置は、
前記本体箱に取り付けられる本体箱側ヒンジ部と、
この本体箱側ヒンジ部と分離可能で、前記前扉に取り付けられる前扉側ヒンジ部とから構成され、
前記前扉は、ヒンジ装置を介して本体箱の一側の上側に開閉可能に取り付けられる上部ドアと、この上部ドアの下側に配置され、ヒンジ装置を介して本体箱の一側に開閉可能に取り付けられる下部ドアとから構成され、前記上部ドア及び下部ドアは、各々別個に開閉可能に形成され、
前記上部ドアは、リール装置と主基板とが取り付けられていると共に、相互のヒンジの係合を解くことによって、上部ドアとリール装置及び主基板が一体に前記本体箱から分離可能に形成され、
前記メダル排出装置として、スロットマシンの外部からメダルを補給するメダル補給装置を用いたことを特徴とするスロットマシン。
【発明の詳細な説明】
【０００１】
【発明の属する技術分野】
この発明は、スロットマシンに関し、新旧の機種交換が容易に行えるようにしたものである。
【０００２】
【従来の技術】
従来、この種のスロットマシンとしては、前扉にリール装置を着脱可能に取り付けたものが知られている（例えば特開平６−２３１３４号公報）。
また、本体箱と前扉との間に、中枠を開閉可能に取り付け、この中枠にリール装置を取り付けたものも知られている（例えば特開平１−３７９８４号公報）。
【０００３】
さらに、前扉の下側に、受皿を着脱可能に取り付けたものも知られている（例えば特開平３−５７４７３号公報）。
【０００４】
【発明が解決しようとする課題】
しかし、上記した従来のスロットマシンでは、新旧の機種交換が面倒であるという共通の問題点があった。
すなわち、スロットマシンは、一定期間経過すると、新機種に入れ替えられる。
【０００５】
このとき、旧機種を取り外し、取り外したスペースに新機種を再度、取り付けていた。
上記新旧の機種交換は、面倒で手数が掛かっていた。
このため、新旧の機種の交換に時間が掛かり、機種の交換のために、営業時間が短縮されたり、夜間の作業を強いられこととなり、多大な労力と費用とが掛かっていた。
【０００６】
また、新・旧の機種を丸ごと交換するので、それらの搬送費用や保管費用も多く掛かっていた。
さらに、旧機種を廃棄し、新機種を新たに製造すると、資源の無駄が多い。
（請求項１）
そこで、請求項１記載の発明は、上記した従来の技術の有する問題点に鑑みてなされたものであり、その目的とするところは、次の３つの点にある。
【０００７】
第１に、請求項１記載の発明は、前扉を交換するだけで、新旧の機種交換を迅速に且つ簡便に行うことができるようにしたものである。
第２に、請求項１記載の発明は、上部ドアの交換だけで済むので、新・旧機種を全体として交換する場合に比較して、新機種の製造、保管及び搬送、並びに旧機種の回収、保管及び廃棄を簡便に行うことができるようにしたものである。
【０００８】
第３に、メダル排出装置として、スロットマシンの外部からメダルを補給するメダル補給装置を用いたものである。
【０００９】
【課題を解決するための手段】
各請求項にそれぞれ記載された各発明は、上記した各目的を達成するためになされたものであり、各発明の特徴点を図面に示した発明の実施の形態を用いて、以下に説明する。
（請求項１）
請求項１記載の発明は、次の６つの点を特徴とする。
【００１０】
第１に、ヒンジ装置(30)は、例えば図１に示すように、本体箱(20)に取り付けられる本体箱側ヒンジ部(31)と、この本体箱側ヒンジ部(31)と分離可能で、前扉(40)に取り付けられる前扉側ヒンジ部(32)とから構成されている。
第２に、前扉(40)には、例えば図１に示すように、リール装置(110)と主基板(120)とを取り付けている。
【００１１】
第３に、メダル排出装置として、スロットマシン(10)の外部からメダルを補給するメダル補給装置を用いたものである。
第４に、前記前扉(40)は、ヒンジ装置(30)を介して本体箱(20)の一側の上側に開閉可能に取り付けられる上部ドア(90)と、この上部ドア(90)の下側に配置され、ヒンジ装置(30)を介して本体箱(20)の一側の下側に開閉可能に取り付けられる下部ドア(100)とから構成されている。
第５に、前記上部ドア(90)及び下部ドア(100)は、各々別個に開閉可能に形成されている。
第６に、前記上部ドア(90)は、相互のヒンジの係合を解くことによって、上部ドアとリール装置及び主基板が一体に前記本体箱(20)から分離可能に形成されている。
【発明の実施の形態】
（第１実施例）
図１，２は、本発明の実施の形態の一例としての第１実施例を示すものである。
図１は、スロットマシンの斜視図、図２はスロットマシンの正面図をそれぞれ示す。
（スロットマシン）
図中、10は、スロットマシンを示すものである。
【００１２】
上記スロットマシン10は、図１に示すように、大別すると、中空の本体箱20と、この本体箱20の一側にヒンジ装置30を介して開閉可能に取り付けられた前扉40とを備えている。
（本体箱）
上記本体箱20は、図１に示すように、前面が開放した箱形を成している。
【００１３】
そして、本体箱20の中空内部には、図１に示すように、ホッパー装置50、電源装置60、集中端子板70、中継基板80を取り付けている。
上記ホッパー装置50は、ゲーム結果にもとづいて遊技者にメダルを排出するものであり、メダル排出装置として機能する。そして、ホッパー装置50は、図１に示すように、本体箱20の底に取り付けられている。
【００１４】
なお、上記メダル排出装置は、ホッパー装置50に限らず、スロットマシン10の外部から補給されるメダルのメダル補給装置を取り付けても良い。
また、ホッパー装置50は、本体箱20の底に直接固定しても良いし、或いはレール等を介して手前に引き出せるように、間接的に固定しても良い。
前記電源装置60は、上記ホッパー装置50等に電源を供給するものである。そして、電源装置60は、図１に示すように、本体箱20の内側面、本実施例では右側の内側面に取り付けられている。
【００１５】
なお、上記電源装置60は、本体箱20の内側面に限らず、本体箱20の他の内面に取り付けても良い。
前記集中端子板70は、図示しないが、外部出力端子を有し、スロットマシン10の稼働状況等の情報を外部に出力ためのものである。そして、集中端子板70は、図１に示すように、本体箱20の内側面、本実施例では左側の内側面に取り付けられている。
【００１６】
なお、上記集中端子板70は、本体箱20の内側面に限らず、本体箱20の他の内面に取り付けても良い。
前記中継基板80は、図示しないが、カードユニットにハーネス等を介して接続されるものである。そして、中継基板80は、図１に示すように、本体箱20の内側面、本実施例では集中端子板70の下側に取り付けられている。
【００１７】
なお、上記中継基板80は、本体箱20の左側の内側面に限らず、本体箱20の他の内面に取り付けても良い。
（前扉）
前扉40は、図１,２に示すように、ヒンジ装置30を介して本体箱20の一側の上側に開閉可能に取り付けられ、表示窓41を有する上部ドア90と、この上部ドア90の下側に配置され、ヒンジ装置30を介して本体箱20の一側の下側に開閉可能に取り付けられ、交換可能な装飾パネル101を有する下部ドア100とから構成されている。
（上部ドア）
上記上部ドア90の裏面には、図１に示すように、リール装置110、主基板120を取り付けている。
【００１８】
上記リール装置110は、上部ドア90の表示窓41に臨み、図示しないが、複数種類のシンボルマークが表示された３個のリールを有し、各リールはモータの駆動力により個別に回転する。そして、リール装置110は、図１に示すように、上部ドア90の表示窓41の裏側に取り付けられている。
前記主基板120は、上記リール装置110やホッパー装置50の制御を行うものである。そして、主基板120は、図１に示すように、リール装置110の上面に取り付けられている。
【００１９】
なお、リール装置110の上面に主基板120を取り付けたが、これに限らず、リール装置110の他の外面に取り付けたり、或いは上部ドア90の裏面に直接、取り付けても良い。
また、上部ドア90の表面には、図２に示すように、メダルを投入するためのメダル投入口42、リール装置110を駆動させるためのスタートスイッチ43、リール装置110の各リールを個別に停止可能な３個のストップスイッチ44・・・、クレジットの切替スイッチ45、クレジットメダルの投入スイッチ46等が配置されている。
【００２０】
なお、上記各種スイッチ類は、上部ドア90に限らず、下部ドア100に配置しても良いし、或いは上部ドア90と下部ドア100とに分散させて配置しても良い。
（下部ドア）
前記下部ドア100には、図１，２に示すように、装飾パネル101を交換可能に取り付けている。
【００２１】
また、下部ドア100の表面には、図１，２に示すように、ホッパー装置50から排出されたメダルが貯まり込むメダル排出皿47が取り付けられている。
（ヒンジ装置）
前記ヒンジ装置30は、図１に示すように、本体箱20に取り付けられる本体箱側ヒンジ部31と、この本体箱側ヒンジ部31と分離可能で、上下のドア90,100にそれぞれ取り付けられる前扉側ヒンジ部32とから構成されている。
【００２２】
上記本体箱側ヒンジ部31は、図１に示すように、雄型を成し、前扉側ヒンジ部32は、雄型にはまり合う雌型を成している。そして、雄型の本体箱側ヒンジ部31から雌型の前扉側ヒンジ部32を上方に引き抜くことで、本体箱20と上下のドア90,100とを分離することができる。
なお、上下のドア90,100のヒンジ装置30の構造を異にし、下部ドア100のヒンジ装置30は分離しない構造としても良い。
（使用方法）
新旧の機種交換を行うには、旧の上部ドア90を取り外し、新規な上部ドア90に交換し、その後、必要な配線を行う。
【００２３】
また、下部ドア100については、その装飾パネル101を交換する。
なお、装飾パネル101だけでなく、下部ドア100を全体として交換しても良い。
（第２実施例）
図３は、本発明の実施の形態の一例としての第２実施例を示し、同図はスロットマシンの斜視図をそれぞれ示す。
【００２４】
本第２実施例の特徴は、図３に示すように、前扉40を一体型とした点にある。
本第２実施例によれば、先に説明した第１実施例のように、下部ドア100の装飾パネル101の交換や、或いは装飾パネル101だけでなく、下部ドア100全体の交換作業を省力化できる。
（第３実施例）
図４，５は、本発明の実施の形態の一例としての第３実施例を示すものである。
【００２５】
図４は、スロットマシンの斜視図、図５はスロットマシンの一部平面図である。
本第３実施例の特徴は、図４，５に示すように、第１に、本体箱20として、スロットマシンの木枠に比較して一回り小型で、薄型のパチンコ用の木枠を使用できるようにした点にある。
【００２６】
なお、本体箱20としては、パチンコ用の木枠に限らず、スロットマシン用の木枠を使用しても良い。
第２に、前扉40には、図４，５に示すように、リール装置110、主基板120に加え、ホッパー装置50、電源装置60、集中端子板70、中継基板80を取り付けた点にある。
【００２７】
すなわち、本体箱20としてパチンコ用の木枠を使用する場合には、前扉40にスロットマシン10に使用する各種装置を取り付けておく必要がある。
そこで、ホッパー装置50の左側面には、図４，５に示すように、電源装置60を取り付け、逆側の右側面には、集中端子板70及び中継基板80を取り付けている。
なお、電源装置60と主基板120とを一体化して、ホッパー装置50の上面、側面、背面に取り付けても良い。
【００２８】
また、集中端子板70と中継基板80を一体化して、ホッパー装置50の上面、側面、背面に取り付けても良い。
また、ホッパー装置50は、図４に示すように、前扉40のメダル排出皿47の裏側に取り付けている。
なお、ホッパー装置50に限らず、メダル排出装置としてメダル補給装置を取り付けても良い。
【００２９】
本第３実施例によれば、パチンコ機に変えて、そのパチンコ用の木枠としての本体箱20に、前扉40を取り付けることで、スロットマシンとすることができる。
【００３０】
【発明の効果】
本発明は、以上のように構成されているので、以下に記載されるような効果を奏する。
（請求項１）
請求項１記載の発明によれば、次のような２つの効果を奏する。
【００３１】
すなわち、請求項１記載の発明によれば、前扉を交換するだけで、新旧の機種交換を迅速に且つ簡便に行うことができる。
第２に、請求項１記載の発明によれば、上部ドアの交換だけで済むので、新・旧機種を全体として交換する場合に比較して、新機種の製造、保管及び搬送、並びに旧機種の回収、保管及び廃棄を簡便に行うことができる。
【図面の簡単な説明】
【図１】
スロットマシンの斜視図である。
【図２】
スロットマシンの正面図である。
【図３】
第２実施例を示し、スロットマシンの斜視図である。
【図４】
第３実施例を示し、スロットマシンの斜視図である。
【図５】
図４の一部平面図である。
【符号の説明】
10  スロットマシン      20  本体箱
30  ヒンジ装置          31  本体箱側ヒンジ部
32  前扉側ヒンジ部      40  前扉
41  表示窓              42  メダル投入口
43  スタートスイッチ    44  ストップスイッチ
45  切替スイッチ        46  投入スイッチ
47  メダル排出皿        50  ホッパー装置
60  電源装置            70  集中端子板
80  中継基板            90  上部ドア
100  下部ドア           101  装飾パネル
110  リール装置         120  主基板